(57)【特許請求の範囲】
【請求項１】
裏面に接着剤を塗布して貼着可能とした封印紙であって、少なくとも加熱処理または所定溶剤の使用の一方を伴って同封印紙を貼着した状態から剥離したときに、内部のインクを漏出させることにより変色効果を生じさせて剥離後の再使用を防止するマイクロカプセルを使用したことを特徴とする封印紙。
【請求項２】
裏面に接着剤を塗布して貼着可能とした封印紙であって、同封印紙を貼着した状態から剥離する過程において、接着剤の接着能力を消失させる物質を漏出させることにより、封印紙の所定部分について接着不能として剥離後の再使用を防止するマイクロカプセルを使用したことを特徴とする封印紙。
【発明の詳細な説明】
【０００１】
【発明の属する技術分野】
本発明は、一旦貼着した後、剥離することを防止した封印紙に関し、例えば遊技機の制御基板ボックスなどに使用して好適な封印紙に関する。
【０００２】
【従来の技術】
従来この種の封印紙として、図６に示す遊技機の制御基板ボックスに適用した封印紙が知られている。基板ボックス１は一対の矩形浅皿形ケーシング３，４を互いの開口面を対面させるようにして合体せしめて形成され、必要に応じて開閉可能となっている。しかしながら封印紙２はケーシング３，４それぞれの側壁３ａ，４ａを跨ぐようにして貼着され、一旦貼着された後で剥がそうとすると破れたり、破れたことを示す文字が残ったりするようになっている。
【０００３】
【発明が解決しようとする課題】
上述した従来の封印紙においては、次のような課題があった。
【０００４】
貼着された封印紙に何らかの溶剤を使用し、ドライヤー等で熱を加えて痕跡を残さずに封印紙を剥がせることができる場合があり、再び貼着し直してもわからないことがあった。
【０００５】
【課題を解決するための手段】
上記課題を解決するため、裏面に接着剤を塗布して貼着可能とした封印紙において、同封印紙を貼着した状態から剥離する過程において、内部の所定物質を漏出させて剥離後の再使用を防止するマイクロカプセルを備えた構成とすることができる。
より具体的には、請求項１の発明は、裏面に接着剤を塗布して貼着可能とした封印紙であって、少なくとも加熱処理または所定溶剤の使用の一方を伴って同封印紙を貼着した状態から剥離したときに、内部のインクを漏出させることにより変色効果を生じさせて剥離後の再使用を防止するマイクロカプセルを使用する。
また、請求項２の発明は、裏面に接着剤を塗布して貼着可能とした封印紙であって、同封印紙を貼着した状態から剥離する過程において、接着剤の接着能力を消失させる物質を漏出させることにより、封印紙の所定部分について接着不能として剥離後の再使用を防止するマイクロカプセルを使用する。
【０００６】
【作用】
上記構成においては、貼着された上記封印紙に熱を加えたり、溶剤を使用したりして剥離すると、上記マイクロカプセルから所定物質が漏出する。この漏出により剥離した痕跡が残る。つまり、請求項１の発明においては、封印紙を剥離したときに内部のインクが漏出して変色効果を生じることにより、剥離後の再使用が防止される。
また、請求項２の発明においては、封印紙を剥離したときに、接着剤の接着能力を消失させる物質が漏出して封印紙の所定部分が接着不能となるため、以後の再使用が防止される。
【０００７】
【発明の効果】
以上説明したように本発明は、貼着した後に剥がした場合、確実に痕跡を残すことにより再度使用することを防止でき、遊技機の制御基板ボックス等に適用して不正な改造等の行為をより厳しく制限することが可能な封印紙を提供することができる。
【０００８】
【発明の実施の形態】
以下、図面にもとづいて本発明の実施形態を説明する。図１は本発明の一実施形態にかかる封印紙を適用した遊技機の制御基板ボックスを斜視図により示している。同図において、制御基板ボックス１０は一対の矩形浅箱形のケーシング１１，１２を互いの開口面を対面させるようにして合体せしめて形成され、内部に図示しない遊技機の遊技内容を制御する制御基板を格納している。後述する封印紙２０はケーシング１１，１２それぞれの側壁１１ａ，１２ａを跨ぐように貼着されているため、同封印紙２０を剥がさないと制御基板ボックス１０を開けられないようになっている。
【０００９】
本実施形態においては、封印紙２０を遊技機の制御基板ボックス１０に適用しているが、封印対象としては必ずしも制御基板ボックス１０に限定されるものではなく、例えば水道、電気のメータボックス等の他のケーシング、あるいは封筒等の紙製の容器類の開閉箇所の封印にも適用可能であるし、あるいは封印面を透視可能な封印紙であれば書類のサインや捺印部分を覆うような封印に適用することも可能である。
【００１０】
図２は封印紙２０の断面を概略図により示している。封印紙２０は矩形状に切り取った紙２１の表面に所定温度以上で崩壊するマイクロカプセル２２ａを混入したインク２２にて印字が施してあるとともに、その裏面には接着剤２３を塗布して貼着可能としている。マイクロカプセル２２ａ中にはインク２２とは異色のインクを内包せしめてある。封印紙２０を剥離するにあたりドライヤー等で加熱して所定温度以上になるとマイクロカプセル２２ａは崩壊し、内包するインクを漏出して上記印字を変色させる。かかる構成にすることにより、加熱しながら封印紙２０を剥がしたとしても一見して印字が変色していることがわかるため再度貼り直すことはできない。
【００１１】
本実施形態においては、封印紙２０は矩形状の紙２１表面にマイクロカプセルを混入したインクにて印字を施すとともに、裏面に接着剤２３を塗布して貼着可能としてあるが、少なくとも内部に所定物質を内包するマイクロカプセルを用いつつ、裏面に接着剤を塗布して貼着可能となっていれば良い。従って、形状や材質に関しては特に限定されるものではないし、印字箇所についても、外部から視認することができる範囲であれば適宜変更可能である。例えば図３に断面概略図を示すフィルム材を用いた封印紙３０において、透明なフィルム材３１の裏面には上述したものと同様のマイクロカプセル３２ａを混入したインク３２にて印字を施し、その上から接着剤３３を塗布して貼着可能としてある。この場合においても、加熱をするとマイクロカプセル３２ａが崩壊して内包する印字とは異色のインクを漏出して同印字を変色させるが、同印字は封印紙３０の表面より透視可能であるため、加熱により変色したとしても一見してわかる。この場合、接着剤３３にマイクロカプセル３２ａを混入しておいてもよい。
【００１２】
また、必ずしも印字に用いるインク中に上記マイクロカプセルを混入する必要もなく封印紙自体に上記マイクロカプセルを含ませて、加熱することにより封印紙が全体として変色するようなものであっても良い。かかる構成とすれば特に印字を施さなくとも加熱して剥がした封印紙は一見してわかる。本実施形態においては、加熱すると崩壊するマイクロカプセルを用いているが、剥離する過程において崩壊し、内包する物質を漏出せしめることができれば良く、加熱により崩壊するマイクロカプセルにとらわれる必要はない。例えば、封印紙を剥離する際、上述したように加熱しながら行う場合もあるが、接着剤に対する何らかの溶剤を使用しながら封印紙を剥離することも考えられるため、所定溶剤に溶解して内包する物質を漏出せしめるマイクロカプセルを用いても構わない。むろん加熱により崩壊するとともに、所定溶剤に溶解するような両者の性質をあわせ持つマイクロカプセルであればよりいっそう効果的である。
【００１３】
本実施形態にかかる封印紙２０はマイクロカプセル２２ａ中にインクを内包せしめて、加熱したときマイクロカプセルが崩壊して内部のインクを漏出することにより封印紙２０を変色させて再使用を防止しているが、貼着後に剥がした場合、何らかの痕跡を残して剥離したことがわかるようであれば良く、上記構成にとらわれる必要はない。例えば図４に断面概略図を示す接着剤の接着能力を変化させる物質を内包するマイクロカプセルを用いた封印紙４０であっても良い。同図において、台紙４１の裏面には接着剤４２を塗布して貼着可能としているとともに、台紙４１表面にはマイクロカプセル４３ａを混入した接着剤４３を塗布してあり、さらにその上に表紙４４を接着固定している。このマイクロカプセル４３ａは接着剤４３の接着能力を消失させる物質を内包し、加熱されると崩壊して内部の物質を漏出する。従って、剥がそうとして加熱すると、接着剤４３の接着能力が消失してしまい、表紙４４のみが剥がれてしまって痕跡が残ることになる。
【００１４】
この例では層状構造としているが、図５に示すように平面上で別パーツに分離されるものであっても良い。同図において、封印紙５０の印字部分５１とその周縁を囲む枠部分５２の間に切れ目を形成しつつ、この切れ目部分には上述したのと同様の接着剤の接着能力を消失させる物質を内包するマイクロカプセルを混入した接着剤５３にて接着固定している。なお、封印紙５０の裏側には別の接着剤を塗布して貼着可能としている。
【００１５】
この接着剤５３により貼着作業時には一枚の紙片として通常通りに貼着可能となる。しかし、封印紙５０を加熱すると接着剤５３の接着能力が消失するため、封印紙５０を剥がそうとすると、切れ目部分が開いて枠部分５２のみが剥がれ、印字部分５１は残ってしまう。この際、わずかに残ったつなぎ目部分が切断されてしまうので確実に痕跡を残すことができる。また、剥離する過程においてマイクロカプセルを崩壊させる手段として、強い圧力をかけられた場合であってもよい。例えば、封印紙２０を引っ張りながら接着面との間に剃刀の刃などを強く割り込ませて剥がそうとする場合にマイクロカプセルを崩壊させるようにしてもよい。このとき、剃刀の刃によって圧力を受けるものでもよいし、封印紙を強く引っ張る力で圧力を受けるものであっても良い。
【００１６】
これらを分類するとすれば、マイクロカプセルを崩壊せしめる手段としては、熱、溶剤、圧力などがあるし、崩壊して表れる痕跡としては着色や接着能力を消失させることなどがあり、さらにはその適用場所としてはインク内であったり、封印紙の表裏面や内部、あるいは接着剤などの中などがあり、場合によってはフィルム自体などに適用することも可能である。以上説明したように、所定物質を内包するマイクロカプセル２２ａを混入したインクにて印字等を施した封印紙２０を加熱、あるいは何らかの溶剤を使用して剥がそうとすると、マイクロカプセル２２ａは崩壊し、所定物質を漏出して印字を変色等させるため、剥がした痕跡が残ることになり剥がした封印紙２０を再使用することができなくなる。
【図面の簡単な説明】
【図１】本実施形態にかかる封印紙を適用した遊技機の制御基板ボックスの斜視図である。
【図２】本実施形態にかかる封印紙の断面概略図である。
【図３】変形例にかかる封印紙の断面概略図である。
【図４】他の変形例にかかる封印紙の断面概略図である。
【図５】同封印紙の断面概略図である。
【図６】従来の封印紙を適用した遊技機の制御基板ボックスの斜視図である。
【符号の説明】
１０…基板ボックス
１１，１２…ケーシング
２０…封印紙
２１…紙
２２…インク
２２ａ…マイクロカプセル
２３…接着剤
【図１】
0003664330.tif 000002
【図２】
0003664330.tif 000003
【図３】
0003664330.tif 000004
【図４】
0003664330.tif 000005
【図５】
0003664330.tif 000006
【図６】
0003664330.tif 000007